(57)【要約】【課題】  医療従事者に手間をかけさせることなく、センサ子機からの呼び出しが誤って報知されることを適切に防止することを目的とする。【解決手段】  患者の所定の状態を検出してセンサ呼出信号を出力するセンサ子機１と、その患者が居る病室への医療従事者の入退室を識別可能に検出する入退室検出装置４０と、医療従者により携帯されるＩＤ発信装置２０と、時間を計測するタイマー１５と、センサ呼出信号を入力して報知を行うナースコール親機５０とを備えたナースコールシステムであって、センサ子機１が患者の所定の状態を検出した場合以降の所定のタイミングにてタイマー１５を動作させ、このタイマー１５が所定時間を計測するまでに入退室検出装置４０が医療従事者の入室を検出した場合に、その医療従事者の退室を検出するまでセンサ子機１による呼び出しが行われてもナースコール親機５０による報知を行わないようにしている。【選択図】  図１
2020089569.tif 000002
【特許請求の範囲】
【請求項１】
患者の所定の状態を検出してセンサ呼出信号を出力するセンサ子機と、前記患者が居る病室への医療従事者の入退室を識別可能に検出する入退室検出装置と、前記医療従者により携帯されるＩＤ発信装置と、時間を計測するタイマーと、前記センサ呼出信号を入力して報知を行うナースコール親機とを備えたナースコールシステムであって、
前記センサ子機が患者の所定の状態を検出した場合に、前記ナースコール親機で報知を行うとともに、前記センサ子機が患者の所定の状態を検出したタイミング、前記ナースコール親機による報知が行われたタイミング、前記報知に対して応答が行われたタイミングの何れかの場合に前記タイマーを動作させ、前記タイマーが所定時間を計測するまでに前記入退室検出装置が前記医療従事者の入室を検出した場合に、その医療従事者の退室を前記入退室検出装置が検出するまでの間、前記センサ子機が患者の所定の状態を検出しても前記ナースコール親機による報知を行わないようにすることを特徴とするナースコールシステム。
【請求項２】
前記ナースコール親機による報知が行われた後に操作することで、呼び出しが行われる前の状態にナースコールシステムを戻す復旧操作装置を前記病室内または前記病室の出入口近傍に設け、前記復旧操作装置が操作された場合に前記タイマーを動作させ、このタイマーが所定時間を計測するまでに前記入退室検出装置が医療従事者の入室を検出した場合に、その医療従事者の退室を前記入退室検出装置が検出するまでの間、前記センサ子機が患者の所定の状態を検出しても前記ナースコール親機による報知を行わないようにすることを特徴とする請求項１に記載のナースコールシステム。
【請求項３】
前記患者が前記医療従事者を呼び出す際に操作されるナースコール子機を設け、前記ナースコール子機が患者によって操作された場合も前記ナースコール親機で報知を行うことを特徴とする請求項１または２に記載のナースコールシステム。
【発明の詳細な説明】
【技術分野】
【０００１】
本発明は、病室から看護師などの医療従事者を呼び出して、看護を要請するためのナースコールシステムに関する。
【背景技術】
【０００２】
一般的に、ナースコールシステムは、呼出ボタンなどの呼出操作部を有するナースコール子機を各病室内の各病床の近傍に設置するとともに、看護師などの医療従事者が常駐するナースステーションにナースコール親機を設置している。そして、患者がナースコール子機の呼出ボタンを操作した場合に、ナースコール子機からナースコール親機へ呼出信号を出力し、呼出信号を入力したナースコール親機にて呼び出しを報知するように構成されている。ここで、ナースコールシステムは、病院だけではなく、介護施設などでも使用される。
【０００３】
ナースコール親機には、ＬＥＤ（light-emitting  diode）などのランプと患者の名前などを表示する表示欄とを備えた選局部を患者の数に応じて組み合わせたボード形のものが知られている。ボード形のナースコール親機は、ナースステーションの壁面などに取り付けられ、ナースステーション内の医療従事者がボード形親機に表示された情報を閲覧することが可能である。ここで、ナースコール子機から出力された呼出信号を入力したナースコール親機では、呼出信号に含まれ、ナースコール子機を識別するための子機識別情報により呼び出しを行った患者（実際にはナースコール子機）を特定する。そして、特定されたナースコール子機を使用している患者の表示欄に対応する選局部のランプを点灯または点滅させることで呼び出しの発生の報知を行っている。また、呼び出しの報知は、選局部のランプの点灯／点滅だけではなく、スピーカから出力される音声によっても行われる。
【０００４】
ここで、ナースコール親機としては、上述したボード形のものだけではなく、卓上に設置される卓上形のものや、報知や各種情報をディスプレイ上に表示するＰＣ（personal  computer）形のものも知られている。
【０００５】
このように、ナースコール親機にて呼び出しの報知が行われると、これに気付いた医療従事者が応答する必要がある。そのため、ナースコール親機には、呼び出しの報知に応答するためのハンドセットが設けられている。呼び出しの報知が行われている場合に、医療従事者がハンドセットをオフフックすると、呼び出しの報知が停止し、ナースコール親機とナースコール子機（またはナースコール子機が設置された病室）との間で通話路が形成される。ここで、ナースコール子機（または病室）には、通話用のスピーカやマイクが設けられているため、患者と医療従事者との間で通話が可能となる。
【０００６】
ところで、上述した呼出ボタンを備えたナースコール子機だけではなく、荷重を検出するセンサを備えたマットによって構成されるセンサ子機も存在する。このマットをベッドの周辺の床に敷き、患者が乗ったことをセンサ子機が検出することにより、患者の徘徊やベッドからの転落を示すセンサ呼出信号をナースコール親機へ出力するようにしたナースコールシステムも知られている（例えば、特許文献１など）。また、荷重を検出するセンサ子機の代わりに赤外線センサ子機を用いて、赤外線が遮断されたときに呼出信号をナースコール親機へ出力するようにしたナースコールシステムも知られている。
【０００７】
しかしながら、上述した各種センサ子機の場合、医療従事者が処置を行う際にマットに乗ったり赤外線を遮断したりしてセンサ子機を動作させてしまった場合でも、患者の徘徊やベッドからの転落としてナースコール親機にて誤った報知が行われてしまう。これを解決するための技術として、センサ子機からの呼び出し、または、そのセンサ子機からの呼び出しの報知を一時的に停止する操作部を設け、医療従事者が処置を行う際にこの操作部を操作させるものが知られている（例えば、特許文献２など）。
【先行技術文献】
【特許文献】
【０００８】
【特許文献１】特開２００５−３４２２６号公報
【特許文献２】特開２００７−２８２８７８号公報
【発明の概要】
【発明が解決しようとする課題】
【０００９】
しかしながら、特許文献２に記載の技術では、医療従事者が処置を行う際に、センサ子機からの呼び出し、または、そのセンサ子機からの呼び出しの報知を一時的に停止するための操作部を医療従事者が操作しなければならないため、医療従事者に手間をかけさせてしまうという問題があった。また、医療従事者が操作部の操作を忘れてセンサ子機を動作させると、ナースコール親機にて誤って報知が行われてしまうという問題があった。
【００１０】
本発明は、このような問題を解決するために成されたものであり、医療従事者に手間をかけさせることなく、センサ子機からの呼び出しが誤って報知されることを適切に防止することを目的とする。
【課題を解決するための手段】
【００１１】
上述した課題を解決するために、本発明では、患者の所定の状態を検出してセンサ呼出信号を出力するセンサ子機と、その患者が居る病室への医療従事者の入退室を識別可能に検出する入退室検出装置と、医療従者により携帯されるＩＤ発信装置と、時間を計測するタイマーと、センサ呼出信号を入力して報知を行うナースコール親機とを備えたナースコールシステムであって、センサ子機が患者の所定の状態を検出した場合にナースコール親機で報知を行い、この報知に対して応答が行われた場合にタイマーを動作させ、タイマーが所定時間を計測するまでに入退室検出装置が医療従事者の入室を検出した場合に、その医療従事者の退室を検出するまで上述したセンサ子機による呼び出しが行われてもナースコール親機による報知を行わないようにしている。
【００１２】
また、本発明の他の態様によれば、上述したナースコールシステムにおいて、医療従事者が入室する際に操作する復旧操作装置を病室内または病室の出入口近傍に設け、センサ子機が患者の所定の状態を検出した後に復旧操作装置が操作された場合にタイマーを動作させ、タイマーが所定時間を計測するまでに入退室検出装置が医療従事者の入室を検出した場合に、その医療従事者の退室を検出するまでナースコール親機による報知を停止するようにしている。
【００１３】
また、本発明の他の態様によれば、上述した何れかのナースコールシステムにおいて、患者によって操作されるナースコール子機を設け、ナースコール子機が患者によって操作された場合にナースコール親機で報知を行い、この報知に対して応答が行われた場合にタイマーを動作させ、タイマーが所定時間を計測するまでに入退室検出装置が医療従事者の入室を検出した場合に、その医療従事者の退室を検出するまで上述したセンサ子機による呼び出しが行われてもナースコール親機による報知を行わないようにしている。
【発明の効果】
【００１４】
上記のように構成した本発明によれば、センサ子機が患者の所定の状態を検出することでナースコール親機にて報知が行われ、この報知に対する応答が行われてから所定時間が経過するまで入退室検出装置が医療従事者の入室を検出した場合に、その医療従事者の退室を検出するまでセンサ子機による呼び出しが行われてもナースコール親機による報知が行われなくなるので、医療従事者がセンサ子機からの呼び出しの報知を一時的に停止させる操作を行わなくても、医療従事者が誤ってセンサ子機を動作させて報知が行われることを防止することができる。また、所定時間経過後には報知が行われる状態に自動的に戻るので、医療従事者が面倒な操作を行うことなく、元の状態に戻すことができる。
【００１５】
また、本発明の他の態様によれば、ナースコール子機が患者によって操作されることでナースコール親機にて報知が行われ、この報知に対する応答が行われてから所定時間が経過するまで入退室検出装置が医療従事者の入室を検出した場合に、その医療従事者の退室を検出するまでセンサ子機による呼び出しが行われてもナースコール親機による報知が行われなくなるので、医療従事者がセンサ子機からの呼び出しの報知を一時的に停止させる操作を行わなくても、医療従事者が誤ってセンサ子機を動作させて報知が行われることを防止することができる。また、所定時間経過後には報知が行われる状態に自動的に戻るので、医療従事者が面倒な操作を行うことなく、元の状態に戻すことができる。
【図面の簡単な説明】
【００１６】
【図１】本実施形態によるナースコールシステムの構成例を示すブロック図である。
【発明を実施するための形態】
【００１７】
以下、本発明の一実施形態を図面に基づいて説明する。図１は、本実施形態によるナースコールシステムの構成例を示すブロック図である。図１に示すように、本実施形態によるナースコールシステムは、センサ子機１、ナースコール子機２、廊下灯１０、ＩＤ発信装置２０、読取装置３０、入退室検出装置４０、ナースコール親機５０を備えて構成されている。
【００１８】
図１において、１はセンサ子機であり、例えばマットセンサにより構成される。ここで、センサ子機１をマットセンサとした場合、センサ子機１は、患者の居るベッドの周辺の床に設置される。また、センサ子機１は、患者などによって踏まれた際の荷重や患者がベッドから転落した際の荷重を検出することでセンサ呼出信号を生成して出力する。ここで、上述したセンサ呼出信号には、センサ子機１を他のセンサ子機１と区別するためのセンサ子機識別情報が含まれる。また、子機識別情報としては、ベッド番号などの情報が用いられる。
【００１９】
２はナースコール子機であり、ベッドの近傍に設置され、患者によって操作される。ここで、ナースコール子機２は、患者によって操作されると呼出信号を生成して出力する。ここで、上述した呼出信号には、ナースコール子機２を他のナースコール子機２と区別するための子機識別情報が含まれる。また、子機識別情報としては、ベッド番号などの情報が用いられる。また、センサ呼出信号と呼出信号とは呼出種別を異ならせるようにしても良い。
【００２０】
３は子機インターフェースであり、センサ子機１およびナースコール子機２と廊下灯１０とを接続して通信を行うためのものである。ここで、子機インターフェース３は、センサ子機１によって生成されたセンサ呼出信号やナースコール子機２によって生成された呼出信号を廊下灯１０に出力する。
【００２１】
廊下灯１０は、病室の出入口近傍の廊下側の壁面などに設置されており、設置されている病室の番号やその病室に入院している患者の氏名などの患者情報を表示している。ここで、廊下灯１０は、制御部１１、廊下灯インターフェース１２、表示部１３、復旧操作装置１４、タイマー１５を備えて構成されている。
【００２２】
制御部１１は、廊下灯１０の各構成要素を後述するように制御するためのものであり、ＣＰＵなどにより構成されている。廊下灯インターフェース１２は、子機インターフェース３に接続されており、廊下灯１０とセンサ子機１およびナースコール子機２とを電気的に接続する。また、廊下灯インターフェース１２は、後述する読取装置３０および入退室検出装置４０を接続している。また、廊下灯インターフェース１２は、後述する親機インターフェース５２に接続されており、廊下灯１０とナースコール親機５０とを電気的に接続する。
【００２３】
表示部１３は、センサ子機１やナースコール子機２による呼び出しが行われたことを表示する。具体的には、表示部１３は、ディスプレイなどの表示装置およびランプなどの点灯装置の少なくとも一つの装置により構成されている。ここで、廊下灯インターフェース１２がセンサ子機１からのセンサ呼出信号を入力した場合には、制御部１１は、表示部１３を動作させる。同様に、廊下灯インターフェース１２がナースコール子機２からの呼出信号を入力した場合にも、制御部１１は、表示部１３を動作させる。このとき、制御部１１は、廊下灯インターフェース１２がセンサ呼出信号を入力した場合と呼出信号を入力した場合とで表示パターンを異ならせる。例えば、センサ呼出信号を入力した場合には、表示部１３は、表示装置に「センサ呼出」という文字を表示させたり、点灯装置を赤色などで点滅させたり、点灯装置を高速に点滅させたりする。また、呼出信号を入力した場合には、表示部１３は、表示装置に「呼出」という文字を表示させたり、点灯装置を黄色などで点滅させたり、点灯装置を低速で点滅させたりする。
【００２４】
復旧操作装置１４は、センサ子機１やナースコール子機２による呼び出しが行われたことに気付いた医療従事者によって操作されるものであり、呼び出しが行われていることを表示部１３に表示されている状態で操作されると、制御部１１は、表示部１３の状態を呼び出しが行われる前の状態に戻すとともに、復旧信号を生成し、ナースコール親機５０へ出力する。
【００２５】
また、センサ子機１やナースコール子機２による呼び出しが行われたことを後述するナースコール親機５０にて報知している状態で、ナースコール親機５０の後述する応答操作部５４が操作されると、ナースコール親機５０から出力された応答信号を廊下灯インターフェース１２にて入力し、制御部１１は、表示部１３の表示装置に「現場復旧待ち」と表示させたり、点灯装置を点灯させたままにしたりすることで、呼び出しが行われた病室を他の病室と識別可能な状態とする。この状態で復旧操作装置１４が操作されると、制御部１１は、表示部１３の状態を呼び出しが行われる前の状態に戻す。すなわち、表示装置の「現場復旧待ち」という表示を消去させたり、点灯装置を消灯させたりする。
【００２６】
タイマー１５は、時間を計測するためのものであり、制御部１１は、このタイマー１５を用いて所定時間が経過したか否かを判定する。
【００２７】
２０は、ＩＤ発信装置であり、医療従事者によって携帯され、ＩＤ発信装置２０毎に異なる識別情報を送信する。読取装置３０は、廊下灯インターフェース１２に接続されており、病室の出入口を通過したＩＤ発信装置２０から送信された識別情報を読み取る。具体的には、３０は読取装置であり、所定の範囲（例えば、少なくとも病室の出入口を含む範囲）に近付いたＩＤ発信装置２０に電源を供給し、電源を供給されたＩＤ発信装置２０は識別情報を送信して、読取装置３０は送信された識別情報を読み取る。なお、ＩＤ発信装置２０が電源を持つようにし、間欠的に識別情報を送信するようにしても良い。
【００２８】
４０は入退室検出装置であり、廊下灯インターフェース１２に接続されていて、病室への人の出入りを区別して検出する。具体的には、入退室検出装置４０は、例えば廊下側に設けた第一の発光部および第一の受光部と、病室側に設けた第二の発光部および第二の受光部とを組み合わせて構成される（何れも図示せず）。そして、第一の発光部から照射された赤外線が第一の受光部にて受光され、第二の発光部から照射された赤外線が第二の受光部にて受光されている状態で、第一の発光部から照射された赤外線が遮られた後に第二の発光部から照射された赤外線が遮られた場合には、人の入室が検出される。一方、第二の発光部から照射された赤外線が遮られた後に第一の発光部から照射された赤外線が遮られた場合には、人の退室が検出される。ここで、入退室検出装置４０は、人の入室を検出した場合に入室検出信号を出力し、人の退室を検出した場合に退室検出信号を出力する。
【００２９】
５０はナースコール親機であり、医療従事者が常駐するナースステーションなどに設置されており、医療従事者によって使用される。ここで、ナースコール親機５０は、親機制御部５１、親機インターフェース５２、報知部５３、応答操作部５４を備えて構成されている。親機制御部５１は、ナースコール親機５０の各構成要素を後述するように制御するためのものであり、ＣＰＵなどにより構成されている。親機インターフェース５２は、廊下灯１０の廊下灯インターフェース１２に接続されており、ナースコール親機５０と廊下灯１０とを電気的に接続する。また、親機インターフェース５２は、センサ子機１から出力されたセンサ呼出信号やナースコール子機２から出力された呼出信号を、廊下灯１０を介して入力する。
【００３０】
報知部５３は、スピーカなどの音声出力装置やディスプレイなどの表示装置、ランプなどの点灯装置の少なくとも一つの装置により構成されている。ここで、親機インターフェース５２がセンサ子機１からセンサ呼出信号を入力した場合には、親機制御部５１は報知部５３を動作させる。このとき、親機制御部５１は、入力したセンサ呼出信号に含まれる子機識別情報に基づいて呼び出しが行われている場所（すなわちベッド番号）を表示装置や点灯装置により報知しつつ、スピーカから報知音を出力する。同様に、親機インターフェース５２がナースコール子機２から呼出信号を入力した場合には、親機制御部５１は報知部５３を動作させる。このとき、親機制御部５１は、入力した呼出信号に含まれる子機識別情報に基づいて呼び出しが行われている場所（すなわちベッド番号）を表示装置や点灯装置により報知しつつ、スピーカから報知音を出力する。ここで、センサ呼出信号を入力した場合と呼出信号を入力した場合とで、表示装置の表示内容や点灯装置の点灯パターン、スピーカから出力される報知音を異ならせることで、両者を識別可能とすることができる。
【００３１】
応答操作部５４は、ハンドセットなどにより構成されており、医療従事者がハンドセットをオフフックすることで操作される。報知部５３が動作している状態で応答操作部５４が操作されると、親機制御部５１は、報知部５３の動作を停止させるとともに、応答信号を生成し、親機インターフェース５２を介して廊下灯インターフェース１２へ出力する。
【００３２】
このように構成されたナースコールシステムにおいて、センサ子機１が患者の所定の状態を検出すると、センサ子機１はセンサ呼出信号を生成し、子機インターフェース３はセンサ子機１にて生成されたセンサ呼出信号を出力する。また、ナースコール子機２が患者により操作されると、ナースコール子機２は呼出信号を生成し、子機インターフェース３はナースコール子機２にて生成された呼出信号を出力する。
【００３３】
廊下灯インターフェース１２は、子機インターフェース３から出力されたセンサ呼出信号または呼出信号を入力し、制御部１１は、表示部１３を上述した手法にて動作させる。一方、親機インターフェース５２は、廊下灯インターフェース１２を介して子機インターフェース３から出力されたセンサ呼出信号または呼出信号を入力する。親機制御部５１は、報知部５３を上述した手法にて動作させる。
【００３４】
この状態で、応答操作部５４が操作されると、親機制御部５１は報知部５３の動作を停止させるとともに、応答信号を生成して親機インターフェース５２により廊下灯１０へ出力する。廊下灯インターフェース１２が応答信号を入力すると、制御部１１は、表示部１３を上述した所定の状態にするとともに、タイマー１５を動作させる。
【００３５】
この状態で、タイマー１５が所定時間を計測するまでに入退室検出装置４０が医療従事者の入室を検出するか否かを制御部１１にて判定する。ここで、医療従事者が入室したと制御部１１にて判定する場合、入退室検出装置４０が病室への人の入室を検出するとともに、読取装置３０がＩＤ発信装置２０から識別情報を受信した状態を示す。一方、これ以外の場合には、医療従事者が入室していないと制御部１１にて判定することになる。
【００３６】
タイマー１５が所定時間を計測するまでに医療従事者が入室したと制御部１１にて判定した場合、制御部１１は、廊下灯インターフェース１２が子機インターフェース３からセンサ呼出信号を入力しても、表示部１３を動作させず、センサ呼出信号のナースコール親機５０への出力も停止する。この状態は、読取装置３０が読み取った識別情報と同一の識別情報を送信するＩＤ発信装置２０を携帯する医療従事者の退室を入退室検出装置４０が検出するまで継続される。
【００３７】
すなわち、センサ子機１による呼び出し、または、ナースコール子機２による呼び出しの報知に対応する医療従事者が、所定時間内に病室に入室した場合、その医療従事者が退室するまで、センサ子機１による呼び出しが行われない状態となる。
【００３８】
以上詳しく説明したように、本実施形態によれば、患者の所定の状態を検出してセンサ呼出信号を出力するセンサ子機１と、患者の操作により呼出信号を出力するナースコール子機２と、その患者が居る病室への医療従事者の入退室を識別可能に検出する入退室検出装置４０と、医療従者により携帯されるＩＤ発信装置２０と、時間を計測するタイマー１５と、センサ呼出信号または呼出信号を入力して報知を行うナースコール親機５０とを備えたナースコールシステムであって、センサ子機１が患者の所定の状態を検出した場合またはナースコール子機２が操作された場合にナースコール親機５０の報知部５３により報知を行い、この報知に対して応答操作部５４の操作により応答が行われた場合にタイマー１５を動作させ、このタイマー１５が所定時間を計測するまでに入退室検出装置４０が医療従事者の入室を検出した場合に、その医療従事者の退室を検出するまでセンサ子機１による呼び出しが行われてもナースコール親機５０による報知を行わないようにしている。
【００３９】
これにより、センサ子機１が患者の所定の状態を検出すること、または、ナースコール子機２が操作されることによりナースコール親機５０にて報知が行われ、この報知に対する応答が行われてから所定時間が経過するまでに入退室検出装置４０が医療従事者の入室を検出した場合、その医療従事者の退室を検出するまでセンサ子機１による呼び出しが行われてもナースコール親機５０による報知が行われなくなるので、医療従事者がセンサ子機１からの呼び出しの報知を一時的に停止させる操作を行わなくても、医療従事者が誤ってセンサ子機１を動作させて報知が行われることを防止することができる。また、所定時間経過後には報知が行われる状態に自動的に戻るので、医療従事者が面倒な操作を行うことなく、元の状態に戻すことができる。
【００４０】
なお、前述した実施形態では、報知に対して応答が行われた場合にタイマー１５を動作させるようにしているが、これに限定されない。例えば、医療従事者が入室する際に操作する復旧操作装置１４が操作された場合にタイマー１５を動作させるようにしても良いし、センサ子機１またはナースコール子機２によって呼び出しが行われた場合にタイマー１５を動作させるようにしても良いし、ナースコール親機５０にて報知が行われた場合にタイマー１５を動作させるようにしても良い。
【００４１】
ここで、タイマー１５が計測する所定時間は、センサ子機１またはナースコール子機２による呼び出しが行われた場合に動作を開始するときに最も長い時間が設定され、ナースコール親機５０による報知が行われた場合に動作を開始するときにそれよりも短い時間が設定されて、報知に対する応答が行われた場合に動作を開始するときに更に短い時間が設定され、復旧操作装置１４が操作された場合に動作を開始するときに最も短い時間が設定されることが好ましい。
【００４２】
また、前述した実施形態では、センサ子機１およびナースコール子機２による呼び出しの報知と応答とをナースステーションに設置されているナースコール親機５０にて行っているが、これに限定されない。例えば、医療従事者が携帯する携帯端末によって報知および応答を行うようにしても良い。
【００４３】
また、前述した本実施形態および変形例では、センサ子機１としてマットセンサを例示して説明しているが、これに限定されない。例えば、患者が発する音声を検出して呼び出しを行うものや、患者が息を吹きかけることで呼び出しを行うもの、患者が接触して呼び出しを行うものなど、患者の所定の状態を検出するものであり、かつ、医療従事者が誤って検出されてしまうようなものであれば、どのようなセンサ子機１であっても良い。
【００４４】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００４５】
１    センサ子機
２    ナースコール子機
３    子機インターフェース
１０    廊下灯
１１    制御部
１２    廊下灯インターフェース
１３    表示部
１４    復旧操作装置
１５    タイマー
２０    ＩＤ発信装置
３０    読取装置
４０    入退室検出装置
５０    ナースコール親機
５１    親機制御部
５２    親機インターフェース
５３    報知部
５４    応答操作部
【図１】
2020089569.tif 000003